(57)【要約】【課題】  静電植毛の毛細管現象を利用しつつ、吸液と蒸散効果をより高めた静電植毛部材とその製造方法並びに、当部材用いた蒸散装置を提供する。【解決手段】  本発明は、基材１と基材１の表面に塗布された接着層と、前記接着層に静電植毛された複数の短繊維の層と、前記短繊維表面に付着したシリカ粒子とを備えることを特徴とする静電植毛部材の製造。  短繊維の長さ０．３〜１．５ｍｍ、太さ１．４〜３．３Ｔのナイロンなどの合成繊維、または絹等の天然繊維を特徴とし、繊維が持つシリカ等の粒子吸着効果と毛細管現象による吸液効果を利用し、またシリカ粒子径７０〜１００ｎｍを特徴とし、シリカの親水性に起因する吸湿・蒸散効果を利用した静電植毛部材である。【選択図】図１
2019084811.tif 000002
【特許請求の範囲】
【請求項１】
基材と、基材の表面に塗布された接着層と、前記接着層に静電植毛された複数の短繊維と、前記短繊維表面に付着したシリカ粒子と、を備えることを特徴とする静電植毛部材。
【請求項２】
前記短繊維は、長さ０．３〜１．５ｍｍ、太さ１．４〜３．３Ｔの合成繊維、または天然繊維であり、繊維の特性であるシリカ等の粒子吸着効果と、毛細管現象による吸液効果を利用することを特徴とする請求項１に記載の静電植毛部材。
【請求項３】
前記シリカは親水性を有し、粒子径７０〜１００ｎｍのシリカを用いたことを特徴とする静電植毛部材。
【請求項４】
前記接着層上に複数の短繊維を静電植毛する工程と、前記接着層上の短繊維間にシリカ水溶液を塗布、或いは含浸させ、その後乾燥させ、短繊維上にシリカ粒子を形成・付着させるシリカ付着工程と、を備えることを特徴とする静電植毛部材の製造方法。
【請求項５】
前記シリカ付着工程は、基材と接着層、接着層に静電植毛された複数短繊維の層からなる部材に、ナトリウムイオン安定型アルカリ性ゾルの固形分４０％のシリカ水溶液をエアースプレーガンで前記部材に塗布した後、乾燥させる工程を数度繰り返す事を特徴とする静電植毛部材の製造方法。
【請求項６】
前記シリカ付着工程は、特定の容器にナトリウムイオン安定型アルカリ性ゾルの固形分４０％のシリカ水溶液を注入し、基材と接着層、接着層に静電植毛された複数短繊維の層からなる部材を数十秒間前記シリカ水溶液に浸した後、乾燥させる工程を数度繰り返す事を特徴とする静電植毛部材の製造方法。
【請求項７】
前記請求項１から請求項３のいずれかに記載された静電植毛部材を用いた蒸散装置であって、蒸散させる液体を収納する容器と、前記容器内の液体に一端が浸漬され、他端が液体外に配置される静電植毛部材と、を具備し、容器内の液体を液体外に配置された静電植毛部材から蒸散させることを特徴とする蒸散装置。
【請求項８】
前記請求項４から請求項６のいずれかに記載された製造方法により製造された静電植毛部材を用いた蒸散装置であって、蒸散させる液体を収納する容器と、前記容器内の液体に一端が浸漬され、他端が液体外に配置される静電植毛部材と、を具備し、容器内の液体を液体外に配置された静電植毛部材から蒸散させることを特徴とする蒸散装置。
【発明の詳細な説明】
【技術分野】
【０００１】  本発明は、例えば水、薬品、香料、飲料、調味料などの吸液とその蒸散効果を高めた静電植毛部材とその製造方法、並びにその静電植毛部材を用いた蒸散装置に関する。
【背景技術】
【０００２】  プラスチックなど樹脂素材を始め、木材、紙、布、金属、ガラスなどの表面に樹脂系接着剤を塗布し、それに０．３ｍｍ〜１．５ｍｍ程度の天然または合成繊維の短繊維を半閉鎖空間内に飛散させ、それを静電気発生装置で数万ボルトの電圧の静電気を掛けることによって前記素材（基材）に植毛した静電植毛部材は、従来から植毛の毛細管現象によって水などの液体を吸液する効果があった。
【先行技術文献】
【０００３】
【特許文献１】特開２０１０−２５５９９２号公報
【発明の概要】
【発明が解決しようとする課題】
【０００４】  しかしながら、従来の植毛の毛細管現象を利用した静電植毛部材では、重力の影響で上方向に対して液体が吸引される効果は限定的で、その結果液体の蒸散される量も同様に限界があった。【０００５】  本発明は、静電植毛の毛細管現象を利用しつつ、吸液と蒸散効果をより高めた静電植毛部材とその製造方法並びに、当部材用いた蒸散装置を提供することを目的としている。
【課題を解決するための手段】
【０００６】  基材と基材の表面に塗布された接着層と、前記接着層に静電植毛された複数の短繊維の層と、前記短繊維上に付着したシリカ粒子と、を備えることを特徴とする静電植毛部材。【０００７】  短繊維の長さ０．３〜１．５ｍｍ、太さ１．４〜３．３Ｔのナイロンなどの合成繊維、または絹等の天然繊維であり、繊維の特性であるシリカ等の粒子吸着効果と、毛細管現象による吸液効果と、を利用した静電植毛部材。【０００８】  シリカ粒子径７０〜１００ｎｍを特徴とし、シリカの親水性に起因する吸湿・蒸散効果を利用した静電植毛部材。【０００９】  基材の表面に接着層を形成する工程と、前記接着層上に複数の短繊維を植毛する工程と、シリカ粒子を塗布或いは含浸させ、前記接着層上の短繊維間にシリカ水溶液を塗布、或いは含浸させ、その後乾燥させ、短繊維上にシリカ粒子を形成・付着させる工程を備えることを特徴とする方法で製造された静電植毛部材。【００１０】  特定の容器にナトリウムイオン安定型アルカリ性ゾルの固形分４０％のシリカ水溶液を注入し、基材と接着層、接着層に静電植毛された複数短繊維の層からなる部材を数十秒間前記シリカ水溶液に浸し、更に乾燥させる工程を数度繰り返す方法を特徴とするシリカ粒子の付着方法。【００１１】  基材と接着層、接着層に静電植毛された複数短繊維の層からなる部材に、ナトリウムイオン安定型アルカリ性ゾルの固形分４０％のシリカ水溶液をエアースプレーガンで前記部材に塗布した後、乾燥させる工程を数度繰り返す方法を特徴とするシリカ粒子の付着方法。【００１２】０００６から００１１までに記載された静電植毛部材を用いた蒸散装置であって、蒸散させる液体を収納する容器と、前記容器内の液体に一端が浸漬され、他端が液体外に配置される静電植毛部材とを具備し、容器内の液体を液体外に配置された静電植毛部材から蒸散させることを特徴とする蒸散装置。
【発明の効果】
【００１３】  静電植毛による毛細管現象とその効果を増幅させるシリカ含浸処理により、蒸散させる水、薬品、香料、飲料、調味料等の液体をより効率よく吸液し、更にそれを空気中により効率よく蒸散させるという利点がある。
【図面の簡単な説明】
【００１４】
【図１】吸液及び蒸散効果を高めるシリカ含浸処理を施した植毛部分断面を示した説明図である。
【図２】エアースプレーガンで静電植毛部材の基材に短繊維を植毛するための接着剤を塗布する工程を示した説明図である。
【図３】ロールコーターで静電植毛部材の基材に短繊維を植毛するための接着剤を塗布する工程を示した説明図である。
【図４】シルクスクリーンを使って、静電植毛部材の基材に短繊維を植毛するための接着剤を、全面または部分的に塗布する工程を示した説明図である。
【図５】接着剤を塗布した基材に静電植毛をする工程を示した説明図である。
【図６】静電植毛加工した部材に、シリカ水溶液をエアースプレーガンで塗布、含浸させる工程を示した説明図である。
【図７】静電植毛加工した部材を、容器に満たしたシリカ水溶液に含浸させる工程を示した説明図である。
【図８】シリカ水溶液を塗布、または浸漬して含浸させた静電植毛加工した部材を天日、またはヒーターによって乾燥する工程を示した説明図である。
【図９】当加工処理を施した製品の吸液及び蒸散効果を示した説明図である。
【図１０】水分の自然蒸発を利用した加湿器具・装置を示した説明図である。
【図１１】ファンを使って水分を蒸発させる加湿器具・装置を示した説明図である。
【図１２】加熱装置を使って水分を蒸発させる加湿器具・装置を示した説明図である。
【図１３】薬剤成分の自然蒸発を利用した加湿器具・装置を示した説明図である。
【図１４】ファンを使って薬剤成分を蒸発させる加湿器具・装置を示した説明図である。
【図１５】加熱装置を使って薬剤成分を蒸発させる加湿器具・装置を示した説明図である。
【図１６】芳香成分の自然蒸発を利用した加湿器具・装置を示した説明図である。
【図１７】ファンを使って芳香成分を蒸発させる加湿器具・装置を示した説明図である。
【図１８】加熱装置を使って芳香成分を蒸発させる加湿器具・装置を示した説明図である。
【図１９】食品原料成分の自然蒸発を利用した加湿器具・装置を示した説明図である。
【図２０】ファンを使って食品原料成分を蒸発させる加湿器具・装置を示した説明図である。
【図２１】加熱装置を使って食品原料成分を蒸発させる加湿器具・装置を示した説明図である。
【発明を実施するための形態】
〔静電植毛部材の製造方法〕
【００１５】  以下、本発明を実施するための形態について説明する。
図１の示すように、基材（１）に短繊維（パイル）（２）を接着剤（３）に静電気によって植毛した製品に、シリカ粒子（４）を付着させる。
図２の示すように、プラスチックを始め、木材、紙、布、金属、ガラスなどあらゆる材質の基材（１１）に短繊維を植毛するための接着剤（１２）をエアースプレーガン（１３）で吹きつけ塗布する。または、図３の示すように、ロールコーター（１４）で接着剤（１２）を塗布する。或いは、図４の示すように、シルク印刷版（１５）とスキージ（１６）で接着剤（１２）を全面または、部分的に塗布する。
図５の示すように太さ１．４〜３．３Ｔ、長さ０．３〜１．５ｍｍのナイロンなどの短繊維（パイル）（２１）を篩（２２）に入れて振動させ、接着剤（２７）を塗布した基材（２３）側に接地極（アース）（２４）を、篩（２２）と接着剤（２７）を塗布した基材（２３）の間に高圧極（２５）を配置し、静電気発生装置（２６）で３０ｋＶ〜５０ｋＶの静電気を掛けながら、接着剤（２７）を塗布した基材（２３）表面に接着剤（２７）が乾燥・硬化しない間に短繊維（２１）を植毛する。
図６の示すように、基材に短繊維を植毛した部材（３１）を水平に置き、ナトリウムイオン安定型アルカリ性ゾル、固形分４０％のシリカ水溶液（３２）をエアースプレーガン（３３）で塗布、シリカ水溶液（３２）を植毛面に含浸させる。
図７の示すように、基材に短繊維を植毛した部材（３１）を、ナトリウムイオン安定型アルカリ性ゾル、固形分４０％のシリカ水溶液（３２）で満たした容器（３４）に浸漬し、シリカ水溶液（３２）を植毛面に含浸させる。
その後、図８の示すように天日（３５）で１〜３時間乾燥、水分を蒸発させるか、または乾燥機（３６）によってシリカ水溶液の水分（３７）を蒸発させ、シリカ粒子（３８）を植毛した部材（３１）に付着させる。
図６または図７の方法によるシリカ水溶液含浸と図８のシリカ水溶液の水分蒸発工程を交互に２回以上繰り返す。
〔静電植毛部材の吸液・蒸散能力〕
【００１６】  図９の示すように、００１５の方法で製造した静電植毛部材（４１）を水、薬品、香料等の液体（４２）にその下端を浸漬することで、その液体（４２）が製品の植毛加工面を伝い、上方へ従来の静電植毛加工に比べ平均２〜３倍の量を、平均２倍以上の速度で吸引する。吸引された液体（４２）は当加工処理を施された植毛加工面から同じく平均２〜３倍以上の速度と量を気化、蒸散する。
〔静電植毛部材を用いた蒸散装置〕
【００１７】  加湿器具・装置（５１）に於いて、水を吸収し蒸発させる部品として、００１５の方法で製造した静電植毛部材（５２）の一部を、水（５３）を入れた容器（５４）に浸す。そして水分（５５）を図１０のような自然蒸発、もしくは図１１のファン（５６）による人工風、または図１２の部品（５２）を加熱させるヒーター等の装置（５７）によって加熱し、周囲に水分を湿気として拡散させる。
【００１８】  殺虫剤を始めとする液体薬品の吸液・蒸散器具又は装置（６１）または殺虫器具（６１）の薬品吸液・蒸散部品として、００１５の方法で製造した静電植毛部材（６２）の一部を、液体殺虫剤やその他液体薬剤（６３）を入れた容器（６４）に浸す。そして薬剤成分（６５）を図１３のように自然蒸散、もしくは図１４のファン（６６）による人工風、または図１５の部品（６２）を加熱させるヒーター等の装置（６７）によって加熱し、蒸散させる。
【００１９】  芳香器具・装置（７１）に於いて、液体香料を吸液・蒸散させる部品・用具（７２）として、００１５の方法で製造した静電植毛部材（５２）の一部を、液体香料（７３）を入れた容器（７４）に浸す。そして芳香成分（７５）を図１６のように自然蒸散、もしくは図１７のファン（７６）による人工風、または図１８の部品・用具（７２）を加熱させるヒーター等の装置（７７）によって加熱し、蒸散させる。
【００２０】  飲料・食品・調味料製造、またはその原料製造に於いて、成分抽出用蒸留装置等（８１）の液体原料を吸液、蒸散させる部品（８２）として、００１５の方法で製造した静電植毛部材（６２）の一部を、液体原料（８３）を入れた容器（８４）に前記の部品（８２）の一部を浸す。そして原料成分（８５）を図１９のように自然蒸散、もしくは図２０のファン（８６）による人工風、或いは図２１の部品（８２）を加熱させるヒーター等の装置（８７）によって加熱、蒸散させ、蒸留容器等の冷却器（８８）で冷却し蒸留する。
【００２１】  当加工は静電植毛加工が可能な物であり、シリカ水溶液の影響を受けない物であれば、材質、形状を選ばない。よって、材質をより自由に選択し、自由な形状で吸液・蒸散させる製品もしくは部品を製造することが可能となる。但し、吸液する液体が基材、静電植毛、または当加工に対して化学反応等を引き起こす場合は、材質が限定される。
【産業上の利用可能性】
【００２２】  本発明は、除加湿、薬品製造処理、薬品又は香料蒸散、飲料、調味料等の食品製造等、液体を吸引及び蒸散させる器具及び装置を製造する産業で利用される。
【符号の説明】
【００２３】１    基材
２    短繊維（パイル）
３    接着剤
４    シリカ粒子
１１  基材
１２  接着剤
１３  エアースプレーガン
１４  ロールコーター
１５  シルク印刷版
１６  スキージ
２１  短繊維（パイル）
２２  篩（ふるい）
２３  基材
２４  接地極（アース）
２５  高圧極
２６  静電気発生装置
２７  接着剤
３１  基材に短繊維を植毛した部材
３２  シリカ水溶液
３３  エアースプレーガン
３４  容器
３５  天日
３６  乾燥機
３７  シリカ水溶液の水分
３８  シリカ粒子
４１  ００１５の方法で製造した静電植毛部材
４２  水、薬品、香料等の液体（低粘性液体）
５１  加湿器具・装置
５２  吸水・蒸散部品
５３  水
５４  容器
５５  水分
５６  ファン
５７  加熱装置（ヒーター等）
６１  液体薬品吸液・蒸散器具・装置
６２  吸液・蒸散部品
６３  液体殺虫剤・液体薬剤
６４  容器
６５  薬剤成分
６６  ファン
６７  加熱装置（ヒーター等）
７１  芳香器具・装置
７２  吸液・蒸散部品・用具
７３  液体香料
７４  容器
７５  芳香成分
７６  ファン
７７  加熱装置（ヒーター等）
８１  食品原料成分抽出蒸留装置
８２  吸液・蒸散部品
８３  液体原料
８４  容器
８５  食品原料成分
８６  ファン
８７  加熱装置（ヒーター等）
【図１】
2019084811.tif 000003
【図２】
2019084811.tif 000004
【図３】
2019084811.tif 000005
【図４】
2019084811.tif 000006
【図５】
2019084811.tif 000007
【図６】
2019084811.tif 000008
【図７】
2019084811.tif 000009
【図８】
2019084811.tif 000010
【図９】
2019084811.tif 000011
【図１０】
2019084811.tif 000012
【図１１】
2019084811.tif 000013
【図１２】
2019084811.tif 000014
【図１３】
2019084811.tif 000015
【図１４】
2019084811.tif 000016
【図１５】
2019084811.tif 000017
【図１６】
2019084811.tif 000018
【図１７】
2019084811.tif 000019
【図１８】
2019084811.tif 000020
【図１９】
2019084811.tif 000021
【図２０】
2019084811.tif 000022
【図２１】
2019084811.tif 000023